(57)【要約】【課題】平面型ディスプレイモニタの上部に、書類やキーボードユニット等を収納するスペースを確保することができるトレイを、平面型ディスプレイモニタに特別な改造或いは再設計を必要とせずに提供する。【解決手段】平面型ディスプレイモニタの背面のＶＥＳＡ規格によるマウントを利用して支持体を固定し、更に、支持体でトレイを支持することによって、平面型ディスプレイモニタの上部に収納スペースが得られるように構成する。【選択図】          図１
2004258934.tif 000002
【特許請求の範囲】
【請求項１】
ＶＥＳＡマウントを備えた平面型ディスプレイモニタの上部に設置されるトレイであって、該ＶＥＳＡマウントに取り付けられ、かつ長さが調整可能な支持体によって支持されることを特徴とするトレイ。
【請求項２】
該支持体にヒンジ構造を具備することにより、該平面型ディスプレイモニタの表示面に対する該トレイの角度が可変であることを特徴とする請求項１に記載のトレイ。
【請求項３】
該トレイの下面に面ファスナが設けてあり、この面ファスナを該平面型ディスプレイモニタの上端に設けられた面ファスナに止着することにより、該トレイの前部が該平面型ディスプレイモニタの上端に固定されることを特徴とする請求項２に記載のトレイ。
【発明の詳細な説明】
【０００１】
【発明の属する技術分野】
本発明は、平面型ディスプレイモニタ用トレイに関する。
【０００２】
【従来の技術】
近年ディスプレイモニタはあらゆる分野においてＣＲＴ型からＬＣＤやプラズマといった平面型に移行しつつあり、その机上における占有面積は小さくなっている。しかしながら、キーボードユニットは依然として一定の面積を占め、机上でデスクワークをする場合、邪魔になることが多い。パーソナルコンピュータを使用しない時のキーボードユニットを収納する方法が特許文献１において開示されている。
【０００３】
【特許文献１】特開平１１−２１９２２９号公報
【０００４】
【発明が解決しようとする課題】
この技術では、キーボードユニットを収納するために、平面型ディスプレイモニタに特別な設計や構造を必要とするという課題がある。そこで標準的な平面型ディスプレイモニタに簡単に取り付けられる収納手段が望まれる。
【０００５】
本発明はこのような技術的背景のもとになされたものであり、その目的は、平面型ディスプレイモニタの上部に、書類やキーボードユニット等を収納できるトレイを設けることである。
【０００６】
【課題を解決するための手段】
上記目的を達成するため、請求項１のトレイは、ＶＥＳＡマウントを備えた平面型ディスプレイモニタの上部に設置されるトレイであって、該ＶＥＳＡマウントに取り付けられ、かつ長さが調整可能な支持体によって支持されることを特徴とする。
【０００７】
請求項２のトレイは、支持体にヒンジ構造を具備することにより、平面型ディスプレイモニタの表示面に対するトレイの角度が可変であることを特徴とする。
【０００８】
請求項３のトレイは、トレイの下面に面ファスナが設けてあり、この面ファスナを平面型ディスプレイモニタの上端に設けられた面ファスナに止着することにより、トレイの前部が該平面型ディスプレイモニタの上端に固定されることを特徴とする。
【０００９】
【発明の実施の形態】
以下、この発明の実施例を、図を参照して説明する。
【００１０】
図２は、ＬＣＤを使用した平面型ディスプレイモニタ１の背面を示す。表示面を構成する平面型ディスプレイ１２（図１に示す）は、ディスプレイハウジング１１により周辺と背面をカバーされている。ディスプレイハウジング１１は、スタンド１３上部の軸構造１４により回動可能となるようスタンド１３と連結されており、所定の角度範囲で表示面角度を調整できるようになっている。ディスプレイハウジング１１の背面には、ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）規格のＦＤＭＩ（Ｆｌａｔ  Ｄｉｓｐｌａｙ  Ｍｏｕｎｔｉｎｇ  Ｉｎｔｅｒｆａｃｅ）Ｓｔａｎｄａｒｄ  Ｐａｒｔ−Ｄによってねじの穴径及びピッチ、耐荷重、固定面のサイズ等が定められたＶＥＳＡマウントが設けられている。ディスプレイハウジング１１を保持するスタンドやアーム、壁掛け用留め具等は、ＶＥＳＡマウント１５に固定することが可能である。
【００１１】
図１、図３及び図４は、本発明の実施例を示す。図２に示す平面型ディスプレイモニタ１の背面のＶＥＳＡマウント１５に支持体２が固定され、更に支持体２の上部にトレイ３が固定されている。支持体２は、ＶＥＳＡマウント１５に固定される支持体下部２１と、ヒンジ構造４を有し、トレイ３を回動可能に固定する支持体上部２２から構成される。支持体下部２１及び支持体上部２２は、図７に示されるような、双方に設けられた長穴６１をねじ留めすることにより固定され、互いの位置を調整することにより、平面型ディスプレイモニタ１に対するトレイ３の垂直方向の位置を調整できる。支持体下部２１は、その下方に、前記ＶＥＳＡ規格により設けられた穴２４を有し、留めねじによってＶＥＳＡマウント１５に固定される。トレイ３は、支持体上部２２及びトレイ３の長穴６１を使って支持体上部２２に固定され、互いの位置を調整することにより、平面型ディスプレイモニタ１に対するトレイ３の前後方向の位置を調整できる。
【００１２】
図６は、支持体上部２２に設けられるヒンジ構造４を示す。トレイ３はヒンジ構造４により回動可能である。またトレイ３は、トレイ３の前部下面と、トレイ３の前部下面が接するディスプレイハウジング１１の上端に面ファスナ５を貼付して止着することにより、固定することもできる。
【００１３】
図５は、ディスプレイハウジング１１のＶＥＳＡマウントに、トレイ３と、ＶＥＳＡスタンド１８の両方を固定した実施例を示す。支持体下部２１は、ＶＥＳＡマウント１５とスタンドの固定部１７の間に挟んで固定される。
【００１４】
支持体下部２１と支持体上部２２、及び支持体上部２２とトレイ３の穴は、図７に示すような長穴６１の他に、図８に示すような複数の丸穴６２でも良い。長穴６１と丸穴６２を、組み合わせて使用することもできる。
【００１５】
トレイ３は、収納する物、平面型ディスプレイモニタ１のサイズ、及び平面型ディスプレイモニタ１周辺のクリアランス等によって適宜そのサイズと形状を変更することにより、用途に即した収納スペースを得ることができる。例えば図１に示すように、キーボードユニット５１を収納する場合は前部に滑り止め３１を設けることが望ましい。このようにしておけば、図１に示すように、キーボードユニット５１のキー入力部５２が使用者から見えるようにトレイ３を前方に傾けておき、簡単なキー入力であればキーボードユニット５１をトレイ３に収納した状態で行うことができる。
【００１６】
なお、本発明によるトレイ３は、支持体２にヒンジ４を具備したので、使用者が表示面角度を変えた場合でも、支持体下部２１及び支持体上部２２の固定位置を調整することによって、ディスプレイハウジング１１に対する角度を使いやすい角度に調整することができる。
【００１７】
【発明の効果】
このように設けられたトレイにより、平面型ディスプレイモニタの上部を有効な収納スペースとして活かすことができる。
【図面の簡単な説明】
【図１】本発明の実施例を示す図である。
【図２】平面型ディスプレイモニタの背面のＶＥＳＡマウントの形状及び位置を示す斜視図である。
【図３】一実施例の、組み立てを示す図である。
【図４】一実施例の、側面図である。
【図５】他の実施例を示す図である。
【図６】支持体のヒンジ構造を示す図である。
【図７】支持体及びトレイを組み立てる穴が長円形である例を示す図である。
【図８】支持体及びトレイを組み立てる穴が円形である例を示す図である。
【符号の説明】
１  平面型ディスプレイモニタ
１５  ＶＥＳＡマウント
２  支持体
３  トレイ
４  ヒンジ構造
５  面ファスナ
【図１】
2004258934.tif 000003
【図２】
2004258934.tif 000004
【図３】
2004258934.tif 000005
【図４】
2004258934.tif 000006
【図５】
2004258934.tif 000007
【図６】
2004258934.tif 000008
【図７】
2004258934.tif 000009
【図８】
2004258934.tif 000010